(57)【特許請求の範囲】
【請求項１】
挿入された光ディスクから当該光ディスクに記録されているメディアＩＤを取得するメディアＩＤ取得手段と、
光ディスクのメディアＩＤに対応して当該光ディスクの所定の特性の基準値が格納されたメモリと、
前記メディアＩＤ取得手段により取得されたメディアＩＤに対応して前記メモリに格納されている所定の特性の基準値を読み出す手段と、
挿入された前記光ディスクから当該光ディスクの所定の特性の値を特定する特性値特定手段と、
前記メモリから読み出された前記所定の特性の基準値と、前記特性値特定手段により特定された前記所定の特性の値とに基づいて、前記メディアＩＤから特定される記録条件に対する、挿入された前記光ディスクの適合性を判断する判断手段と、
を有し、
前記メモリが、光ディスクにおいて予め定められた複数の位置における所定の特性の基準値を格納しており、
前記特性値特定手段が、挿入された前記光ディスクにおいて前記予め定められた複数の位置における所定の特性の値を特定し、
前記判断手段が、対応する位置における、前記所定の特性の基準値と特定された前記所定の特性の値とを比較する
光ディスク記録装置。
【請求項２】
前記光ディスクの所定の特性が、光ディスクに照射されたレーザ光の、当該光ディスクからの戻り光に関する特性である請求項１記載の光ディスク記録装置。
【請求項３】
前記光ディスクの所定の特性が、光ディスクの記録特性に相関のある特性である
請求項１記載の光ディスク記録装置。
【請求項４】
前記特性値特定手段が、挿入された前記光ディスクにおける各記録層について、前記予め定められた複数の位置における所定の特性の値を特定し、
前記判断手段が、前記各記録層について、対応する位置における、前記所定の特性の基準値と特定された前記所定の特性の値とを比較する
請求項１記載の光ディスク記録装置。
【請求項５】
前記判断手段による適合性判断結果に基づき、挿入された前記光ディスクに対する処理を決定する手段
をさらに有する請求項１記載の光ディスク記録装置。
【請求項６】
前記判断手段が、挿入された前記光ディスクを不適合と判断した場合、前記光ディスクに対する処理が、予め定められた記録速度より低い速度で実施するデータ記録処理と、データ記録処理の中止と、通常のデータ記録処理とのいずれかである請求項５記載の光ディスク記録装置。
【請求項７】
前記メモリが、光ディスクのメディアＩＤに対応して当該光ディスクに対する記録条件に関するデータを格納しており、
前記判断手段が、挿入された前記光ディスクを適合と判断した場合、前記光ディスクに対する処理が、取得された前記メディアＩＤに対応して前記メモリに格納された前記記録条件に関するデータに従って行われるデータ記録処理である請求項５記載の光ディスク記録装置。
【請求項８】
前記判断手段による適合性判断結果を表示装置に表示する手段
をさらに含む請求項１記載の光ディスク記録装置。
【請求項９】
前記判断手段による適合性判断結果と、挿入された前記光ディスクに対する処理に関する情報とのうち少なくともいずれかを記憶装置又は挿入された前記光ディスクに記録させる手段
をさらに含む請求項５記載の光ディスク記録装置。
【請求項１０】
挿入された光ディスクから当該光ディスクに記録されているメディアＩＤを取得するメディアＩＤ取得手段と、
光ディスクのメディアＩＤに対応して当該光ディスクの所定の特性の基準値が格納されたメモリと、
前記メディアＩＤ取得手段により取得されたメディアＩＤに対応して前記メモリに格納されている所定の特性の基準値を読み出す手段と、
挿入された前記光ディスクから当該光ディスクの所定の特性の値を特定する特性値特定手段と、
前記メモリから読み出された前記所定の特性の基準値と、前記特性値特定手段により特定された前記所定の特性の値とに基づいて、前記メディアＩＤから特定される記録条件に対する、挿入された前記光ディスクの適合性を判断する判断手段と、
前記判断手段による適合性判断結果に基づく情報を表示装置に表示する手段と、
を有し、
前記メモリが、光ディスクにおいて予め定められた複数の位置における所定の特性の基準値を格納しており、
前記特性値特定手段が、挿入された前記光ディスクにおいて前記予め定められた複数の位置における所定の特性の値を特定し、
前記判断手段が、対応する位置における、前記所定の特性の基準値と特定された前記所定の特性の値とを比較する
光ディスク記録システム。
【請求項１１】
前記判断手段による適合性判断結果に基づく情報が、挿入された前記光ディスクが真正品か否かについての情報を含む請求項１０記載の光ディスク記録システム。
【請求項１２】
前記判断手段による適合性判断結果に基づく情報が、挿入された前記光ディスクについての前記適合性の有無についての情報を含む請求項１０記載の光ディスク記録システム。
【請求項１３】
前記判断手段が、挿入された前記光ディスクを不適合と判断した場合、前記判断手段による適合性判断結果に基づく情報が、ユーザに対し、挿入された前記光ディスクに対する処置に関する指示を促す情報である請求項１０記載の光ディスク記録システム。
【請求項１４】
挿入された前記光ディスクに対する処置に関する指示をユーザから受け付け、当該指示に対応する動作を実施させる手段
をさらに有する請求項１３記載の光ディスク記録システム。
【発明の詳細な説明】
【技術分野】
【０００１】
本発明は、光ディスクに対するデータ記録技術に関する。
【背景技術】
【０００２】
従来、光ディスクのＬＰＰ（Land Pre-Pit）やウォブル（Ｗｏｂｂｌｅ）に登録されたメディアＩＤを含むメディア情報を読み出し、当該メディアＩＤに対応して予め登録されている記録条件に従って当該光ディスクに対してデータ記録処理を行っていた。
【０００３】
例えば、特開平１１−７８３１４号公報には、記録媒体上に真偽判定用の情報を印刷し、この真偽判定用の印刷情報に基づいて記録媒体の真偽を判定することについての記載がある。
【０００４】
また、例えば、特開平１１−６６６１６号公報には、基板上に紫外線発光蛍光体層、および特定の蛍光遮断層を有する積層体を設けることにより、紫外線下で蛍光を発し、肉眼で記録情報を読み取ることを可能とする記録媒体についての記載がある。しかし、これら記録媒体は、その記録媒体、もしくは基板上に真偽判別のために別途、材料の選定、膜の成膜、印刷を行う必要があり、記録媒体作製の工程が複雑になったり、記録媒体の製造価格が高くなるなどの問題点がある。
【０００５】
また、例えば、特開平１１−１５４３５３号公報には、記録媒体基板の透過率値、もしくは反射率値を記録媒体の真偽情報として利用する方法が開示されている。しかし、これら記録媒体は、その記録媒体の基板の２つの波長による少なくとも一方の透過率の値そのもの、もしくは反射率の値そのものが、所定値と同じかどうかで、記録媒体の真偽を判断するため、基板の透過率に波長依存性をもたせるために、透明基板材料である樹脂中に色素、染料、顔料を添加するなどして、基板を射出成形するため、射出成形装置がこれら色素、染料、顔料により汚染されてしまうなどの問題がある。
【特許文献１】特開平１１−７８３１４号公報
【特許文献２】特開平１１−６６６１６号公報
【特許文献３】特開平１１−１５４３５３号公報
【発明の開示】
【発明が解決しようとする課題】
【０００６】
ＬＬＰやＷｏｂｂｌｅに登録されたメディア情報は各メディアのベリフィシケーションラボより認定されたものであるが、市販されている記録用光ディスクでは他社のメディア情報を自社の光ディスクに流用しているものも存在する。このような光ディスクではメディア情報は同じでも光ディスクの膜特性や設計が異なっており、光ディスク記録装置における記録条件も本来そのメディアＩＤが付与された真正な光ディスクとは異なっている。従って、流用されたメディアＩＤを基に当該メディアＩＤに対応する記録条件でデータ記録を行うと記録後の特性が悪く、最悪の場合には記録されたデータを読み出せないといった問題が生じ得る。また上記公報のような技術では、このような問題に対して十分な解決策を提示していない。
【０００７】
従って、本発明の目的は、光ディスクにおけるメディアＩＤの流用に対処可能なデータ記録技術を提供することである。
【０００８】
また、本発明の他の目的は、光ディスクに対して適切なデータ記録を行うための技術を提供することである。
【課題を解決するための手段】
【０００９】
本発明の第１の態様に係る光ディスク記録装置は、挿入された光ディスクから当該光ディスクに記録されているメディアＩＤを取得するメディアＩＤ取得手段と、光ディスクのメディアＩＤに対応して当該光ディスクの所定の特性の基準値が格納されたメモリと、メディアＩＤ取得手段により取得されたメディアＩＤに対応してメモリに格納されている所定の特性の基準値を読み出す手段とを有する。このようにメディアＩＤと光ディスクの所定の特性の基準値とを対応付けて保持することにより、メディアＩＤの流用に対処可能となる。さらに、所定の特性の基準値と比較に基づき、光ディスクに対するデータ記録条件であるストラテジの調整を行う場合もあり、このような場合には光ディスクに対して適切なデータ記録を行うことも可能となる。
【００１０】
また、挿入された光ディスクから当該光ディスクの所定の特性の値を特定する特性値特定手段と、メモリから読み出された所定の特性の基準値と、特性値特定手段により特定された所定の特性の値とに基づいて、メディアＩＤから特定される記録条件に対する、挿入された光ディスクの適合性を判断する判断手段とをさらに有するようにしてもよい。このようにメディアＩＤ及び所定の特性の値から記録条件（ストラテジ）に対する適合性を判断すれば、メディアＩＤの流用を特定することができるようになる。
【００１１】
さらに、上記光ディスクの所定の特性を、光ディスクに照射されたレーザ光の、当該光ディスクからの戻り光に関する特性としてもよい。例えば反射率、透過率などである。
【００１２】
さらに、上記光ディスクの所定の特性を、光ディスクの記録特性に相関のある特性としてもよい。
【００１３】
また、上記メモリが、光ディスクにおいて予め定められた１又は複数の位置（例えば、光ディスクの内周、外周、又はそれらの両方）における所定の特性の基準値を格納するようにしてもよい。その場合、特性値特定手段は、挿入された光ディスクにおいて予め定められた１又は複数の位置における所定の特性の値を特定し、判断手段は、対応する位置における、所定の特性の基準値と特定された所定の特性の値とを比較するものである。
【００１４】
また、特性値特定手段は、挿入された光ディスクにおいて予め定められた複数の位置における所定の特性の値を特定するようにしてもよい。その場合、判断手段は、特性値特定手段が特定した、予め定められた複数の位置における所定の特性の値を用いて演算を行い、当該演算結果とメモリから読み出された所定の特性の基準値とを比較する。例えば、光ディスクの内周と外周の差又は変化率などを算出するものである。内周と外周など複数の位置において特性値が大きく変化する場合には、真正品ではない場合が多いためである。
【００１５】
さらに、特性値特定手段が、挿入された光ディスクにおける各記録層における所定の特性の値を特定するようにしてもよい。その場合、判断手段は、特定値特定手段が特定した、各記録層における所定の特性の値から特性変化量を算出し、当該算出結果とメモリから読み出された所定の特性の基準値とを比較する。このように多層の光ディスクにも対応することが可能である。
【００１６】
さらに、判断手段による適合性判断結果に基づき、挿入された光ディスクに対する処理を決定する手段をさらに有するようにしても良い。一方で、ユーザからの指示を受け付けて、その通りに実施するようにしても良い。
【００１７】
また、上で述べた判断手段が、挿入された光ディスクを不適合と判断した場合、上記光ディスクに対する処理が、予め定められた記録速度より低い速度で実施するデータ記録処理と、データ記録処理の中止と、通常のデータ記録処理とのいずれかであるようにしてもよい。
【００１８】
さらに、上記メモリが、光ディスクのメディアＩＤに対応して当該光ディスクに対する記録条件に関するデータを格納するようにしてもよい。その際、判断手段が、挿入された光ディスクを適合と判断した場合、光ディスクに対する処理は、取得されたメディアＩＤに対応してメモリに格納された上記記録条件に関するデータに従って行われるデータ記録処理である。
【００１９】
また、判断手段による適合性判断結果を表示装置に表示する手段をさらに含むようにしてもよい。
【００２０】
さらに、判断手段による適合性判断結果と、挿入された光ディスクに対する処理に関する情報とのうち少なくともいずれかを光ディスク記録装置の記憶装置又は挿入された光ディスクに記録させる手段をさらに含むようにしてもよい。後にデータが読み出せないなどの問題が発生した場合などにおいて参照するためである。
【００２１】
本発明の第２の態様に係る光ディスク記録装置は、挿入された光ディスクから当該光ディスクに記録されているメディアＩＤを取得するメディアＩＤ取得手段と、光ディスクのメディアＩＤに対応して当該光ディスクの所定の特性の基準値が格納されたメモリと、メディアＩＤ取得手段により取得されたメディアＩＤに対応してメモリに格納されている所定の特性の基準値を読み出す手段と、挿入された光ディスクから当該光ディスクの所定の特性の値を特定する特性値特定手段と、メモリから読み出された所定の特性の基準値と、特性値特定手段により特定された所定の特性の値とに基づいて、メディアＩＤから特定される記録条件に対する、挿入された光ディスクの適合性を判断する判断手段と、判断手段による適合性判断結果に基づく情報を表示装置に表示する手段とを有する。このようにメディアＩＤ及び所定の特性の値から記録条件（ストラテジ）に対する適合性を判断すれば、メディアＩＤの流用を特定することができ、ユーザに通知することができるようになる。
【００２２】
また、上記判断手段による適合性判断結果に基づく情報が、挿入された光ディスクが真正品か否かについての情報を含むようにしてもよい。すなわち、挿入された光ディスクから当該光ディスクに記録されているメディアＩＤを取得し、当該光ディスクが取得したメディアＩＤが本来記録されているべき真正品か否かについての情報を表示装置に表示するものである。このように、例えば適合性なしと判断された場合には、メディアＩＤを詐称しているとみなして表示するようにしても良い。
【００２３】
さらに、上記判断手段による適合性判断結果に基づく情報が、挿入された光ディスクについての適合性の有無についての情報を含むようにしてもよい。適切なデータ記録が不能である旨を例えばユーザに提示するようにしても良い。
【００２４】
さらに、上記判断手段が、挿入された光ディスクを不適合と判断した場合、判断手段による適合性判断結果に基づく情報を、ユーザに対し、挿入された光ディスクに対する処置に関する指示を促す情報としてもよい。例えば、そのまま書き込む、速度を落としてデータを書き込む、データ書き込みを中止するといった選択肢を示して、ユーザに選択を促すようにしても良い。
【００２５】
さらに、挿入された光ディスクに対する処置に関する指示をユーザから受け付け、当該指示に対応する動作を実施させる手段をさらに有するようにしてもよい。自動的に実行すべき処理を特定してそのまま実行してもよいし、自動的に実行すべき処理を特定してユーザに確認の上実行しても良いし、全ての選択肢をユーザに提示して指示を受け付けてから実行するようにしても良い。
【００２６】
以上のような構成を実現するための実施の形態は複数存在しており、以下に具体例を示すが、本発明はこれに限定されるものではない。
【発明の効果】
【００２７】
本発明によれば、光ディスクにおけるメディアＩＤの流用に対処可能となる。
【００２８】
また、本発明の他の側面によれば、光ディスクに対して適切なデータ記録を行えるようになる。
【発明を実施するための最良の形態】
【００２９】
［第１の実施の形態］
図１に本発明の第１の実施の形態に係るシステムの機能ブロック図を示す。本実施の形態に係るシステムは、光ディスク記録再生装置１と、パーソナルコンピュータ３とを含む。図１では、光ディスク記録再生装置１とパーソナルコンピュータ３とを別々に示しているが、光ディスク記録再生装置１がパーソナルコンピュータ３と一体となっている場合もある。
【００３０】
光ディスク記録再生装置１は、メモリ１１と、コントローラ１２と、パーソナルコンピュータ３とのインターフェースであるインターフェース部（Ｉ／Ｆ）１７と、信号処理部１３と、サーボ制御部１６と、ピックアップ部１４と、レーザ・ダイオード（ＬＤ）ドライバ１５と、図示しない光ディスク５の回転制御部及びモータとを含む。コントローラ１２は、メモリ１１、信号処理部１３、Ｉ／Ｆ１７、サーボ制御部１６、ＬＤドライバ、図示しない回転制御部などと接続されている。信号処理部１３は、ＰＤ１４６、コントローラ１２などと接続されている。サーボ制御部１６は、コントローラ１２とピックアップ部１４とに接続されている。ＬＤドライバ１５は、コントローラ１２、ＬＤ１４５と接続されている。コントローラ１２は、Ｉ／Ｆ１７を介してパーソナルコンピュータ３と接続されている。
【００３１】
また、コントローラ１２は、本実施の形態に関係する処理部として、特性値演算部１２１と、適合性判断部１２２と、ストラテジ決定部１２３とを含む。また、信号処理部１３は、本実施の形態に関係する処理部として、メディアＩＤ取得部１３１と、特性値検出部１３２とを有する。なお、図示していないが、信号処理部１３内又は信号処理部１３とは別に、光ディスク５に書き込むためのデータ符号化処理及び光ディスク５から読み出したデータを復号するデータ復号化処理を実施するデータ変調回路が設けられている。また、ピックアップ部１４は、対物レンズ１４１と、ビームスプリッタ１４２と、検出レンズ１４３と、コリメートレンズ１４４と、レーザダイオード（ＬＤ）１４５と、フォトディテクタ（ＰＤ）１４６とを含む。ピックアップ部１４では、サーボ制御部１６の制御に応じて図示しないアクチュエータが動作し、フォーカス及びトラッキングが行われる。
【００３２】
パーソナルコンピュータ３は、本実施の形態に関係する部分として、光ディスク記録再生装置１とデータのやりとりを行って光ディスク５に対するデータ記録処理等を行うデータ記録処理部３３と、ディスプレイである表示部３１と、キーボードやマウスなどの入力部３２とを含む。
【００３３】
光ディスク５に記録されたデータを再生する場合には、コントローラ１２からの指示に従ってＬＤドライバ１５は、ＬＤ１４５を駆動してレーザ光を出力させる。レーザ光は、コリメートレンズ１４４、ビームスプリッタ１４２、対物レンズ１４１を介して光ディスク５に照射される。光ディスク５からの反射光は、対物レンズ１４１、ビームスプリッタ１４２、検出レンズ１４３を介してＰＤ１４６に入力される。ＰＤ１４６は、光ディスク５からの反射光を電気信号に変換し、信号処理部１３等に出力する。信号処理部１３等は、出力信号に対して所定の復号処理を行い、復号されたデータをコントローラ１２及びＩ／Ｆ１７を介して、パーソナルコンピュータ３内の図示しないデータ再生部に出力する。例えば、データ再生部は、表示部３１に再生データを表示させる。データ再生については、本実施の形態の主旨ではないので、これ以上述べない。
【００３４】
一方、光ディスク５にデータを記録する場合には、図２乃至６を用いて説明するような処理を実施する。例えばパーソナルコンピュータ３のユーザにより入力部３２から光ディスク５に対して所定のデータの記録が指示されると、データ記録処理部３３は、データ記録指示を光ディスク記録再生装置１のＩ／Ｆ１７を介してコントローラ１２に出力する。データ記録指示に応答して、コントローラ１２は、ＬＤドライバ１５に所定の指示を出力し、ＬＤ１４５に再生強度のレーザ光を出力させる。また、コントローラ１２は、サーボ制御部１６を介してピックアップ部１４を制御し、光ディスク５の所定位置にレーザ光を照射させるようにする。ＬＤ１４５から出力されたレーザ光は、コリメートレンズ１４４、ビームスプリッタ１４２、対物レンズ１４１を介して光ディスク５に照射される。
【００３５】
光ディスク５からの反射光は、対物レンズ１４１、ビームスプリッタ１４２、検出レンズ１４３を介してＰＤ１４６に入力される。ＰＤ１４６は、反射光を電気信号に変換して、当該電気信号を信号処理部１３に出力する。
【００３６】
信号処理部１３のメディアＩＤ取得部１３１は、ＰＤ１４６からの信号から光ディスク５に記録されているメディアＩＤを取得する（ステップＳ１）。ＬＰＰやＷｏｂｂｌｅについての信号からメディアＩＤを取得する。この処理は従来と変わらないので、これ以上述べない。この取得されたメディアＩＤは、コントローラ１２に出力され、例えばメモリ１１に記録される。また、コントローラ１２の適合性判断部１２２は、メモリ１１から取得メディアＩＤに対応する特性基準値を読み出す（ステップＳ３）。
【００３７】
メモリ１１は、例えば図３（ａ）に示すようなデータテーブルを格納している。図３（ａ）における例では、メディアＩＤに対応して、パワー条件及びパルス条件を含むストラテジ情報と、特性基準値とが登録されている。なお、デフォルトのストラテジ情報についても登録されている。
【００３８】
次に、信号処理部１３の特性値検出部１３２は、ＰＤ１４６からの信号から光ディスク５の特性値を特定する（ステップＳ５）。ここで特定すべき特性値は、光ディスクの記録特性と相関のある特性値である。具体的には、反射率、透過率、光ディスクにおけるスパイクなどの欠陥の発生状況、そりの程度、光ディスクの加速度などの機械特性などである。主に、光ディスク５からの戻り光に関連する特性値である。また、例えば光ディスク５の１所定箇所（内周、中周、外周など）の特性値を特定するような構成だけではなく、複数の箇所の特性値を特定するようにしてもよい。ここでは、内周と外周における特性値を特定するものとする。特定された特性値は、コントローラ１２に出力される。
【００３９】
そして、コントローラ１２の特性値演算部１２１は、信号処理部１３の特性値検出部１３２から受信した特性値に対して所定の演算を実施し、演算処理結果を適合性判断部１２２に出力する（ステップＳ６）。例えば、内周の特性値と外周の特性値との差を算出する。変化率などであってもよい。
【００４０】
図４に、特定の光ディスクの特性値の変化を曲線Ａとして、別の光ディスクの特性値の変化を曲線Ｂとして示す。このように図４の例では、特定の光ディスクの中周における特性値と、別の光ディスクの中周における特性値とは近い値となっている。しかし、特定の光ディスクの特性値は、内周、中周、外周で大きな変化はないが、別の光ディスクの特性値は、内周、中周、外周で大きな変化がある。通常、同じメディアＩＤを有する光ディスクであれば、多少のばらつきはあるものの同じような特性値をとり、その光ディスク内の変化傾向（変化量又は変化率など）は同様となる。しかし、他社のメディアＩＤを流用しているような光ディスクは、真正な光ディスクとは異なる特性値、変化量又は変化率を示す場合が多い。真正な光ディスクの特性値が曲線Ａで表された場合、メディアＩＤが同じであって且つこの曲線Ａと同じような特性値が特定されれば、真正な光ディスクであると判断できる。一方、他社のメディアＩＤを流用している光ディスクであって例えば曲線Ｂのような特性値が特定されるならば、内周と外周の特性値の差が真正な光ディスクとは大きく異なるので、他社のメディアＩＤの流用を検出することができる。なお、このように複数の位置についての特性値を用いれば精度良くメディアＩＤの流用を検出することができる。図４の例でも中周の特性値のみを比較すると、別の光ディスクも真正な光ディスクであると判断され得るが、他の位置における特性値を用いれば、流用を検出することができる。
【００４１】
そこで、適合性判断部１２２は、ステップＳ３で読み出した特性基準値とステップＳ６で算出された算出特性値とを比較し、算出特性値が特性基準値に適合するか判断する（ステップＳ７）。内周と外周の特性値の差を比較の対象とする場合には、例えば特性基準値以下であるか判断する。図５に示すように、処理対象の光ディスク５が光ディスクＡ及びＢであれば、その特性値の差が特性基準値α以下であるため適合と判断され、光ディスクＣ乃至Ｆであれば、その特性値の差が特性基準値αを超えるため不適合と判断される。但し、特性値の性質によっては「以下」ではなく、他の条件にて適合性を判断する場合もある。
【００４２】
適合性判断部１２２が処理対象の光ディスク５を適合性ありと判断した場合には、適合性判断部１２２は、Ｉ／Ｆ１７を介してパーソナルコンピュータ３のデータ記録処理部３３に適合信号を出力する（ステップＳ９）。データ記録処理部３３は、適合信号を受けて表示部３１に、光ディスク５に対するデータ記録可能という表示を行う（ステップＳ１１）。これによりユーザは、用意した光ディスク５が正常であり、通常とおりデータ記録が可能であるということを把握することができる。なお、正常であればステップＳ１１をスキップしても良い。
【００４３】
またストラテジ決定部１２３は、光ディスク５のメディアＩＤを用いてメモリ１１内のデータテーブルからストラテジ情報（パワー条件、パルス条件など）を読み出し、別途信号処理部１３等により符号化された記録データを、読み出したストラテジ情報に従って記録パルスに変換し、ＬＤドライバ１５に出力する（ステップＳ１３）。記録データは、データ記録処理部３３からＩ／Ｆ１７を介して出力されたデータである。
【００４４】
ＬＤドライバ１５は、コントローラ１２からの記録パルスに従ってＬＤ１４５を駆動する。ＬＤ１４５から出力されたレーザ光は、コリメートレンズ１４４、ビームスプリッタ１４２、対物レンズ１４１を介して、別途コントローラ１２によって線速一定又は回転速度一定で回転する光ディスク５の所定の位置に照射される。この結果、光ディスク５に、記録データに対応したピット及びスペース列からなる記録パターンが形成される。
【００４５】
一方、ステップＳ７で処理対象の光ディスク５が適合性無しと判断された場合には、端子Ａを介して図６の処理に移行する。
【００４６】
適合性判断部１２２が処理対象の光ディスク５を適合性無しと判断した場合には、適合性判断部１２２は、Ｉ／Ｆ１７を介してパーソナルコンピュータ３のデータ記録処理部３３に不適合信号を出力する（ステップＳ１５）。データ記録処理部３３は、不適合信号を受けて表示部３１に、光ディスク５のメディアＩＤとその特性が不適合である旨又はメディアＩＤを流用した模倣品（又は詐称品）である旨の警告表示を行う（ステップＳ１７）。これによりユーザは、用意した光ディスク５に問題が発生し得ることを認識することができる。また、例えば「特性が異なるため、○○（メーカ名）の真性品ではない可能性がある」等の表示を行えば、ユーザに対し真正品購入の動機付けを行うことができる。
【００４７】
以下は、不適合と判定された場合における対処をユーザが判断するモードと、自動的に判断するモードとで処理が分かれる。もし、ユーザが判断するモードが設定されている場合には（ステップＳ１９：Ｙｅｓルート）、データ記録処理部３３は、ユーザに対処法についての指示を促す表示を表示部３１に対して行う（ステップＳ２１）。例えば、（１）データ記録を行わない、（２）記録速度を下げてデータ記録を行う、（３）通常どおり記録するといった選択肢をユーザに提示する。データ記録処理部３３は、ユーザによる入力部３２からの指示を受け付け、当該指示を特定するデータをＩ／Ｆ１７を介して、コントローラ１２に出力する。コントローラ１２は、ユーザの指示を特定するデータを受信すると、ユーザの指示に応じた対応処理を実施する（ステップＳ２３）。例えば、（１）データ記録を行わないという指示が入力された場合、コントローラ１２は、光ディスク５を光ディスク記録再生装置１から排出させる。また、（２）記録速度を下げてデータ記録を行うという指示が入力された場合には、コントローラ１２は、記録速度を下げるように制御を行う。また、ストラテジ決定部１２３は、デフォルトのストラテジ情報をメモリ１１のデータテーブルから読み出し、当該ストラテジ情報に従って、データ記録処理を実施させる。メディアＩＤに対応して登録されているストラテジ情報を用いるようにしても良いが、不適合であると判断されているので調整が必要となる。（３）通常どおり記録するという指示が入力された場合、ステップＳ１３と同様の処理を実施する。なお、（３）の場合、記録速度を下げずに、デフォルトのストラテジ情報をメモリ１１のデータテーブルから読み出し、当該ストラテジ情報に従って、データ記録処理を実施させるようにしても良い。
【００４８】
一方、自動的に判断するモードである場合には（ステップＳ１９：Ｎｏルート）、不適合と判断された場合の対処処理が予め規定されているので、コントローラ１２は、当該対応処理を自動的に特定し（ステップＳ２７）、当該対応処理を実施する（ステップＳ２９）。例えば、データ記録を行わないという方針があれば、光ディスク５を排出するという対応処理が規定されており、光ディスク５を光ディスク記録再生処理１から排出させる。また、記録速度を下げてデータ記録を行うという方針があれば、記録速度を下げるように制御を行う。また、ストラテジ決定部１２３は、デフォルトのストラテジ情報をメモリ１１のデータテーブルから読み出し、当該ストラテジ情報に従って、データ記録処理を実施させる。なお、対処処理の内容についても表示部３２に表示させても良い。また、自動的に判断するモードを行う場合には、ステップＳ１５及びＳ１７をスキップするようにしても良い。
【００４９】
ステップＳ２３又はステップＳ２９の後に、コントローラ１２は、不適合判定及び対処法に関するデータをメモリ１１に記録する（ステップＳ２５）。例えば、メディアＩＤと不適合判定の識別コードと対処法の識別コードとを記録する。なお、不適合判定にもかかわらずデータ記録を行う場合には、当該光ディスク５に、不適合判定及び対処法に関するデータを記録するようにしても良い。対処法に関するデータは、データ記録を行う場合にはその際のストラテジ情報を含むようにしても良い。このようにすれば、後にデータが読み出せない等の問題発生時に参照することも可能である。なお、メモリ１１ではなく、データ記録処理部３３と連携してパーソナルコンピュータ３のハードディスクに、記録するようにしても良い。
【００５０】
なお、ステップＳ１３において、適合判定を表すコード及びメディアＩＤをメモリ１１に記録する、又は適合判定を表すコードを光ディスク５に記録するようにしても良い。
【００５１】
そして端子Ｂを介して図２の処理フローに戻り、処理を終了する。
【００５２】
このような処理を行うことにより、真正な光ディスクかメディアＩＤを流用している光ディスクかを精度よく判定することができ、さらにメディアＩＤを流用している光ディスクに対して適切に対処することができるようになる。また、真贋判定のために新たに試し書きを行う必要もない。
【００５３】
［実施の形態２］
第１の実施の形態では、パーソナルコンピュータ３と共に用いられる光ディスク記録再生装置を説明したが、第２の実施の形態では、図７に示したように、光ディスク記録再生装置のＩ／Ｆ１７ａが、例えばテレビジョン受像機である表示装置６と接続され、例えばリモートコントローラである入力装置７と通信するようになっている。
【００５４】
このような場合には、コントローラ１２が、図１のデータ記録処理部３３の機能を併せて有するようになる。すなわち、表示装置６にユーザに対する表示を行ったり、光ディスク記録再生装置に表示装置が設けられている場合には当該表示装置に表示を行う。また、入力装置７に表示装置が設けられており、入力装置７との双方向の通信が可能であれば、入力装置７の表示装置に表示させるようにしても良い。
【００５５】
なお、光ディスク記録再生装置に表示装置及びボタンなどの入力装置が設けられている場合には、表示装置６及び入力装置７がなくとも、第１の実施の形態と同じ処理を行うことができる。
【００５６】
［その他の実施の形態］
上で述べた例では、内周及び外周の特性値の差を演算するようになっているが、より多くの位置の特性値を特定し、例えば平均値や中央値、その他の統計量を算出して、特性基準値と比較するようにしても良い。また、特に差の出やすい１つの位置についての特性値に基づき適合性を判断しても良い。
【００５７】
さらに上で述べた例では、特性値演算部１２１において、特性値検出部１３２で特定された２つの特性値から１つの算出特性値を算出していたが、特性演算部１２１を用いずに、特性値検出部１３２で特定された内周の特性値及び外周の特性値と、例えば図３（ｂ）に示すような内周の特性基準値Ａと外周の特性基準値Ｂとを用いて適合性判断部１２２が適合性を判断するようにしてもよい。すなわち、内周の特性値と内周の特性基準値Ａを比較し、外周の特性値と外周の特性基準値Ｂを比較する。例えば、内周の特性値が内周の特性基準値Ａ以下であり、外周の特性値が外周の特性基準値Ｂ以下である場合に、処理対象の光ディスク５を適合性ありと判断し、それ以外の場合に適合性無しと判断する。
【００５８】
なお、単層の光ディスクだけではなく多層の光ディスクについても取り扱うことができ、例えば内周の代わりに第１層、外周の代わりに第２層として特性値を特定し、それぞれについて図３（ｂ）に示すような特性基準値と比較するようにしても良い。第１層と第２層との特性値の差を算出して、対応する特性基準値と比較するようにしても良い。さらに、第１層の内周及び外周の特性値、第２層の内周及び外周の特性値を複合的に取り扱うようにしても良い。
【００５９】
さらに、適合性あり及び適合性無しという判断だけではなく、図３（ｃ）に示すように、光ディスク５の適合性のレベルを特定するようにしても良い。例えば、特性値演算部１２１で算出された算出特性値と、レベル１の特性基準値と比較し、算出特性値がレベル１の特性基準値以下であれば適合と判断し、レベル１の特性基準値を超えるがレベル２の特性基準値以下であれば準適合と判断し、レベル２の特性基準値を超える場合には不適合と判断するようにしても良い。準適合の場合には、ユーザに判断を委ねても良いし、メモリ１１のデータテーブルに格納されているストラテジ情報についても準適合の場合におけるストラテジ情報を追加しておいてデータ記録時に使用するようにしても良いし、例えば調整係数を追加しておいて実際のデータ記録時に当該調整係数を用いるようにしても良いし、調整係数で調整するようにしても良い。
【００６０】
以上本発明の実施の形態を説明したが、本発明は上で述べた実施の形態に限定されるものではない。例えば、図１の機能ブロック図は機能の説明のために示したものであって、実際の部品又はプログラムとは対応しない場合もある。
【００６１】
またメモリ１１に格納されるデータテーブル（図３（ａ）乃至（ｃ））は、上で述べた用途にのみ使用されるわけではない。例えば、複数の記録層を有する光ディスクの場合、第１層の特性値を特定し、データテーブルにおける特性基準値との比較結果に基づき、第２層などのストラテジ情報に対して調整を行うようにしてもよい。
【図面の簡単な説明】
【００６２】
【図１】本発明の第１の実施の形態に係るシステムの機能ブロック図である。
【図２】本発明の第１の実施の形態に係る処理フローを示す図である。
【図３】（ａ）乃至（ｃ）は、メモリに格納されたデータテーブルの例を示す図である。
【図４】特性値の変化を表すグラフである。
【図５】光ディスクの適合性判断について説明するためのグラフである。
【図６】本発明の第１の実施の形態に係る処理フローを示す図である。
【図７】本発明の第２の実施の形態に係るシステムの機能ブロック図である。
【符号の説明】
【００６３】
１  光ディスク記録再生装置    ３  パーソナルコンピュータ
５  光ディスク    
１１  メモリ    １２  コントローラ    １３  信号処理部
１４  ピックアップ部    １５  ＬＤドライバ    １６  サーボ制御部
１７  Ｉ／Ｆ
３１  表示部    ３２  入力部    ３３  データ記録処理部
１２１  特性値演算部    １２２  適合性判断部
１２３  ストラテジ決定部
１３１  メディアＩＤ取得部    １３２  特性値検出部
１４１  対物レンズ    １４２  ビームスプリッタ  
１４３  検出レンズ    １４４  コリメートレンズ
１４５  ＬＤ    １４６  ＰＤ
【図１】
0004464328.tif 000002
【図２】
0004464328.tif 000003
【図３】
0004464328.tif 000004
【図４】
0004464328.tif 000005
【図５】
0004464328.tif 000006
【図６】
0004464328.tif 000007
【図７】
0004464328.tif 000008